(57)【要約】【課題】施錠を強固に行うことができる錠前装置を提供する。【解決手段】鍵による施錠を行うには、連結ねじ２０ｄを取り外し、連結ねじ２０ｄによる連結板１９と第１のロックカム１６の連結を解除する。シリンダ錠１３の鍵穴に鍵を挿入して開錠方向に回動操作すると、シリンダカム１５により、第１のロックカム１６が回動し、第２のロックカム１７が回動して第２の窓部１８ｂとの係合を解く。第１係合ロック部１６ｂがスライダ１８を上昇させる。鍵を反対に回動すると、シリンダカム１５が反転し、第１のロックカム１６が回動してスライダ１８を下降する。第２のロックカム１７が自重によるモーメント作用で回動復帰し、第１係合ロック部１６ｂがスライダ１８の第１の窓部１８ａに係合すると共に、第２係合ロック部１７ｂがスライダ１８の第２の窓部１８ｂに係合してスライダ１８の上昇を２重にロックする。【選択図】図２
2009215708.tif 000002
【特許請求の範囲】
【請求項１】
シリンダケースと、
前記シリンダケースに収容されたシリンダ錠と、
前記シリンダケース内において前記シリンダ錠の操作軸に係合し、該操作軸の回転により回転されるシリンダカムと、
前記シリンダケース内に回動可能に設けられ、前記シリンダカムと係脱する第１のロックカムと、
前記シリンダケース内に回動可能に設けられ、前記第１のロックカムと係脱する第２のロックカムと、
前記シリンダケース内に直動可能に設けられ、第１の窓部、および前記第２のロックカムによって係合ロックされる第２の窓部を有するスライダと、を備え、
前記シリンダカムは、周縁部に係合ピンを突設しており、
前記第１のロックカムは、前記係合ピンが係合する湾状係合部と、前記第１の窓部に遊びを有して係脱する第１係合ロック部と、前記第２のロックカムの方向に伸びる押圧側アーム部を有し、前記シリンダカムの回動時に、前記係合ピンにより押圧されて回動し、第１係合ロック部でスライダを昇降させ、前記第１係合ロック部を第１の窓部に係合しスライダの上昇をロックするように構成され、
前記第２のロックカムは、前記第１のロックカムの方向に伸び前記押圧側アーム部と離接する受圧側レバーアーム部と、前記第２の窓部に係脱する第２係合ロック部を有し、前記第１のロックカムが回動して第１係合ロック部で前記スライダを下降させるときに回動し、前記第２係合ロック部を第２の窓部に係合しスライダの上昇をロックするように構成されたことを特徴とする、
錠前装置。
【請求項２】
前記第１のロックカムと同軸に回動可能な連結板と、
前記連結板と前記第１のロックカムとを一体に連結することが可能な連結手段と
、前記第１のロックカムが施錠位置と開錠位置との間を移動するように前記連結板を往復回動させる電磁アクチュエータと、をさらに備え、
前記シリンダカムは、前記シリンダ錠の操作軸と係合するカム孔を、前記電磁アクチュエータにより回動されるときに、前記シリンダ錠の操作軸を回動しないように遊びがある形状に形成されていることを特徴とする、
請求項１に記載の錠前装置。
【請求項３】
前記第１のロックカムと同軸に回動可能な連結板と、
前記第１のロックカムが施錠位置と開錠位置との間を移動するように前記連結板を往復回動させる電磁アクチュエータと、
前記電磁アクチュエータに着脱可能に設けられ、該電磁アクチュエータにより前記第２のロックカムに当接して該第２のロックカムをロックする方向に押圧する押圧手段と、をさらに備え、
前記シリンダカムは、前記シリンダ錠の操作軸と係合するカム孔を、前記電磁アクチュエータにより回動されるときに、前記シリンダ錠の操作軸を回動しないように遊びがある形状に形成されていることを特徴とする、
請求項１に記載の錠前装置。
【発明の詳細な説明】
【技術分野】
【０００１】
本発明は、自動販売機等の容器本体の扉の開錠・施錠に適する錠前装置に関するものである。
【背景技術】
【０００２】
自動販売機の容器本体の扉の開錠・施錠に適する錠前装置の１つとして、例えば、特許文献１の錠取り付け構造及び錠取り付けユニットが提案されている。ここに開示されている錠前装置は、鍵で操作軸を回動して操作軸に固設した操作カムを回動する構造である。この錠前装置では、自動販売機の容器本体の扉の上下に設けられるロック装置を開錠・施錠する操作棒の移動をロックする構造となっている。
【０００３】
【特許文献１】特開２００５−２８１９８７号公報
【発明の開示】
【発明が解決しようとする課題】
【０００４】
しかしながら、上記特許文献１の錠前装置は、セキュリティ面が弱いといった問題点があり、また、近年、錠前装置には、電気的なアクセスによって施錠・開錠が行われる利便性が求められ、或いは鍵による施錠・開錠と電気的なアクセスを介して施錠・開錠を行う複合アクセスがセキュリティの面で要望されている。
【０００５】
本発明は、このような問題点を解決するためになされたものであって、施錠を強固に行うことができる錠前装置を提供することを課題としている。
【課題を解決するための手段】
【０００６】
（１）本発明は、シリンダケースと、前記シリンダケースに収容されたシリンダ錠と、前記シリンダケース内において前記シリンダ錠の操作軸に係合し、該操作軸の回転により回転されるシリンダカムと、前記シリンダケース内に回動可能に設けられ、前記シリンダカムと係脱する第１のロックカムと、前記シリンダケース内に回動可能に設けられ、前記第１のロックカムと係脱する第２のロックカムと、前記シリンダケース内に直動可能に設けられ、第１の窓部、および前記第２のロックカムによって係合ロックされる第２の窓部を有するスライダと、を備え、前記シリンダカムは、周縁部に係合ピンを突設しており、前記第１のロックカムは、前記係合ピンが係合する湾状係合部と、前記第１の窓部に遊びを有して係脱する第１係合ロック部と、前記第２のロックカムの方向に伸びる押圧側アーム部を有し、前記シリンダカムの回動時に、前記係合ピンにより押圧されて回動し、第１係合ロック部でスライダを昇降させ、前記第１係合ロック部を第１の窓部に係合しスライダの上昇をロックするように構成され、前記第２のロックカムは、前記第１のロックカムの方向に伸び前記押圧側アーム部と離接する受圧側レバーアーム部と、前記第２の窓部に係脱する第２係合ロック部を有し、前記第１のロックカムが回動して第１係合ロック部で前記スライダを下降させるときに回動し、前記第２係合ロック部を第２の窓部に係合しスライダの上昇をロックするように構成されたことを特徴とする。
【０００７】
本発明に係る錠前装置によれば、スライダは、第１のロックカムと第２のロックカムとにより二重にロックされるため、施錠を強固に行うことができる。
【０００８】
（２）また、本発明に係る錠前装置は、前記第１のロックカムと同軸に回動可能な連結板と、前記連結板と前記第１のロックカムとを一体に連結することが可能な連結手段と、前記第１のロックカムが施錠位置と開錠位置との間を移動するように前記連結板を往復回動させる電磁アクチュエータと、をさらに備え、前記シリンダカムは、前記シリンダ錠の操作軸と係合するカム孔を、前記電磁アクチュエータにより回動されるときに、前記シリンダ錠の操作軸を回動しないように遊びがある形状に形成されていることを特徴とする。
【０００９】
本発明に係る錠前装置によれば、連結手段により連結板と第１のロックカムとを一体に連結しないときは、シリンダ錠の鍵穴に鍵を挿入して機械的に施錠と開錠を行うことができ、連結手段により連結板と第１のロックカムとを一体に連結するときは、電磁アクチュエータに対して施錠信号及び開錠信号を送信して電気的に施錠と開錠を行うことができる。
【００１０】
（３）また、本発明に係る錠前装置は、前記第１のロックカムと同軸に回動可能な連結板と、前記第１のロックカムが施錠位置と開錠位置との間を移動するように前記連結板を往復回動させる電磁アクチュエータと、前記電磁アクチュエータに着脱可能に設けられ、該電磁アクチュエータにより前記第２のロックカムに当接して該第２のロックカムをロックする方向に押圧する押圧手段と、をさらに備え、前記シリンダカムは、前記シリンダ錠の操作軸と係合するカム孔を、前記電磁アクチュエータにより回動されるときに、前記シリンダ錠の操作軸を回動しないように遊びがある形状に形成されていることを特徴とする。
【００１１】
本発明に係る錠前装置によれば、押圧手段を連結板に取り付けないときは、シリンダ錠の鍵穴に鍵を挿入して機械的に施錠と開錠を行うことができ、押圧手段を連結板に取り付けるときは、シリンダ錠の鍵穴に鍵を挿入して機械的に施錠と開錠を行うことと、電磁アクチュエータに対して施錠信号及び開錠信号を送信して電気的に施錠と開錠を行うことの二重操作により、施錠機能、開錠機能が達成できる。
【発明の効果】
【００１２】
本発明に係る錠前装置によれば、施錠を強固に行うことができる。
【発明を実施するための最良の形態】
【００１３】
以下、図面を用いて、本発明の実施の形態に係る錠前装置について詳細に説明する。
この実施形態の錠前装置は、例えば、図１に示す自動販売機に用いられる。この自動販売機は、容器本体Ａと、扉Ｂとを有する。扉Ｂは、容器本体Ａの片側にヒンジ（図示しない）を介して連結され片開き可能である。扉Ｂには、開口側端の内部の上下配置にロック装置Ｄを備え、中間位置にこの錠前装置Ｃを備えている。容器本体Ａには、ロック装置Ｄに対向してフックＦを備えている。閉扉すると、フックＦがロック装置Ｄへ相対的に突入し、ロック装置Ｄの第１のロックレバーｄ１の開錠方向の第１のねじりばね（符号付けず）による付勢を解除され、第２のロックレバーｄ４が第２のねじりばね（符号付けず）の付勢により回動し、第２のロックレバーｄ４に設けられた第２ロックピンｄ３が第１のロックレバーｄ１を押圧し施錠方向に回動する。これにより、第１のロックレバーｄ１に設けられた第１ロックピンｄ２がフックＦの湾部ｆ１に入り込んでロックすることになる。そして、第２のロックレバーｄ４に設けられている第２ロックピンｄ３が第１のロックレバーｄ１の湾部に入り込んで係合する。これにより、第１のロックレバーｄ１は、第１のねじりばねにより開錠方向（図において反時計方向）に付勢されるが、第２のロックレバーｄ４によりロックされており開錠不能となる。開錠するには、第２のロックレバーｄ４の第１のロックレバーｄ１に対するロックを解除する必要がある。ロック装置Ｄの第２のロックレバーｄ４に設けられたピンｄ５と操作棹Ｅの横長穴とが係合しているので、操作棹Ｅを上昇させることでロックを解除することができる。
この実施の形態の錠前装置Ｃは、この操作棹Ｅの昇降を行うために設けられていて、シリンダ錠による施錠・開錠と、電気的指令のみによる施錠・開錠と、シリンダ錠及び電気的指令の組み合わせによる施錠・開錠のいずれかを所望に選択できるように構成されている。以下、詳細に説明する。
【００１４】
図１及び図５に示すように、この錠前装置Ｃは、シリンダケース１０内に、シリンダ錠１３と、固定具１４と、シリンダカム１５と、第１のロックカム１６と、第２のロックカム１７と、スライダ１８、連結板１９等を具備してなる。
【００１５】
図５（ａ）に示すように、シリンダケース１０は、正面側ケース半体１０ａと、裏面側ケース半体１０ｂとを合わせてねじで連結し縦長の直方体空間を形成してなり、上端と下端にフランジ１０ｃ、１０ｄを有し、フランジ１０ｃ、１０ｄによって容器本体Ａの扉Ｂの正面板の裏側に取り付けられる（取り付け状態は図示しない）。図５（ｂ）に示すように、裏面側ケース半体１０ｂは、スライダ１８側の一側が開放している。
【００１６】
図５（ａ）に示すように、シリンダ錠１３は、シリンダケース１０の前面部に設けられた孔１２より通してシリンダケース１０内に収容される。シリンダ錠１３が該シリンダ錠１３を挿し込んだ孔１２から引き抜かれないように閂機能を有する２枚の固定具１４がシリンダ錠１３の胴部１３ａの括れ部に嵌合してシリンダケース１０内に固定するように構成されている。
【００１７】
図５（ａ）に示すように、固定具１４は、ねじ２２を緩めることによりシリンダ錠１３から離れる方向に移動可能に設けられている。すなわち、この実施の形態では、裏面側ケース半体１０ｂに設けられた縦長のスリット１０ｅにねじ２２を通し、さらに正面側ケース半体１０ａに設けられた縦長のスリット１０ｅに通してナット２３で締め付けてある。ねじ２２を緩めて該ねじ２２をスリット１０ｅに昇降させ再び締め付けることで、固定具１４によるシリンダ錠１３の固定、固定解除が容易にできて、シリンダ錠１３の取着・取り外しが容易にできる。
【００１８】
シリンダケース１０内には、シリンダ錠１３と同軸上にシリンダカム１５が回動可能に設けられている。図７には、シリンダケース１０内に設けられたシリンダ錠１３とシリンダカム１５と固定具１４とを抽出して示している。シリンダカム１５は、中心に開けられたカム孔１５ｂがシリンダ錠１３の操作軸１３ｂと遊びを有して係合し該操作軸１３ｂを回転することにより回転される。シリンダカム１５は、周縁部に係合ピン１５ａを突設されている。
【００１９】
シリンダケース１０内には、第１のロックカム１６と連結板１９とが同軸に回動可能に設けられている。図８には、シリンダケース１０内に設けられた第１のロックカム１６と連結板１９とを抽出して示している。連結板１９が裏面側ケース半体１０ｂに、また連結板１９に重なって第１のロックカム１６が設けられている（図５（ａ）も参照）。第１のロックカム１６は、シリンダケース１０内のシリンダカム１５の上側位置に回動可能に設けられシリンダカム１５の係合ピン１５ａと係脱する。
【００２０】
連結板１９は、回動範囲規制ピン１９ａを有し、該回動範囲規制ピン１９ａを裏面側ケース半体１０ｂに開けられた円弧状スリット１０ｆに通されて外方へ突出している。この回動範囲規制ピン１９ａは、裏面側ケース半体１０ｂに設けられる電磁アクチュエータ２３（図５（ａ）参照）の旋回アーム（図示しない）と連結され、電磁アクチュエータ２３により一定角度往復回動されるように構成されている。電磁アクチュエータ２３は、第１のロックカム１６を施錠位置と開錠位置との間を移動するように連結板１９を往復回動させる。電磁アクチュエータ２３は、マグネットロータリーシリンダ装置を用いるのが、連結板１９を往復回動させる構成として最もシンプルな構成になる。
【００２１】
第１のロックカム１６は、鋼板をプレス打ち抜きしてなる。第１のロックカム１６は、周縁部から回動中心方向に伸びていてシリンダカム１５の係合ピン１５ａが入り込み係合する湾状係合部１６ａと、スライダ１８の第１の窓部１８ａに所要の遊びを有して係合する第１係合ロック部１６ｂと、第２のロックカム１７の方向に伸びる押圧側アーム部１６ｃを有する。第１のロックカム１６は、湾状係合部１６ａが第２のロックカム１７の係合ピン１５ａと係合する。第１のロックカム１６は、シリンダカム１５が回動することにより、湾状係合部１６ａが係合ピン１５ａにより押圧されて回動し、第１係合ロック部１６ｂでスライダ１８を昇降させるように構成されている。第１のロックカム１６は、固定軸２４に回動可能に設けられる。又、第１のロックカム１６は、固定軸２４に替わる回転軸に固定しても良い。
【００２２】
シリンダケース１０内には、第１のロックカム１６の上側に第２のロックカム１７が回動可能に設けられている。図９には、シリンダケース１０内に設けられた第２のロックカム１７を抽出して示している。第２のロックカム１７は、固定軸２５に回動可能に設けられる。なお、第２のロックカム１７を固定軸２５に替わる回転軸に固定しても良い。
第２のロックカム１７は、片側に偏寄した略２枚羽状に鋼板をプレス打ち抜きしてなる。第２のロックカム１７は、第１のロックカム１６の方向に伸びる受圧側レバーアーム部１７ａと、スライダ１８の第２の窓部１８ｂに係脱する第２係合ロック部１７ｂを有している。
【００２３】
第２のロックカム１７と第１のロックカム１６は、受圧側レバーアーム部１７ａと、押圧側アーム部１６ｃとが係合する。第２のロックカム１７は、第１のロックカム１６が半時計方向（スライダ１８を上昇する方向）に回動するときは、受圧側レバーアーム部１７ａが第１のロックカム１６の押圧側アーム部１６ｃにより押圧され開錠する方向（時計方向）に回動される。第１係合ロック部１６ｂがスライダ１８を上昇させるタイミングは、第１係合ロック部１６ｂと第１の窓部１８ａの上端との間に遊びがあることで、第１のロックカム１６の押圧側アーム部１６ｃが受圧側レバーアーム部１７ａを押圧して第２のロックカム１７が開錠する方向（時計方向）に揺動し、第２係合ロック部１７ｂがスライダ１８の第２の窓部１８ｂに離脱した後になる。
【００２４】
また第２のロックカム１７は、第１のロックカム１６が施錠方向に回動するときは、第１のロックカム１６の押圧側アーム部１６ｃが受圧側レバーアーム部１７ａより離れることに伴い、自重によるモーメント作用で施錠方向に回動し、第２係合ロック部１７ｂを第２の窓部１８ｂの下縁に係合しスライダ１８の上昇をロックするように構成されている。
【００２５】
シリンダケース１０内には、一側にスライダ１８が設けられている。図１０には、シリンダケース１０内に設けられたスライダ１８を抽出して示している。図６、図１０に示すように、シリンダケース１０に設けられた上下一対のガイドピン２６が、スライダ１８に設けられた縦長のスリット１８ｃに嵌挿されている。ガイドピン２６は、スライダ１８を昇降可能にガイドしている。スライダ１８は、チャンネル形状にプレス成形されてなり、両側の歯部が突出してロック部１８ｄとなっている。このロック部１８ｄは、図１に示す自動販売機の扉Ｂの内部の操作棹Ｅに設けられた孔に係合している。従って、スライダ１８を上昇させると、上下のロック装置Ｄがロック状態を解除されるので、開扉できる。なお、上述したように、スライダ１８には、背部分の下部に第１の窓部１８ａが開けられ、背部分の上部に第２の窓部１８ｂが開けられている。
【００２６】
図１、図８、図１１に示すように、連結板１９と第１のロックカム１６は、連結手段２０により一体に連結され、及び連結解除される。連結手段２０は、この実施の形態では、裏面側ケース半体１０ｂに開けられた円弧状スリット２０ａと、連結板１９に開けられた雌ねじ２０ｂと、第１のロックカム１６に設けられたきり孔２０ｃと、円弧状スリット２０ａを通し雌ねじ２０ｂに締め付けてねじ部の先端を連結板１９のきり孔２０ｃに挿入嵌合させる連結ねじ２０ｄとからなる。
【００２７】
連結ねじ２０ｄは、この錠前装置を電気錠として機能させるときに、ねじ部の先端を連結板１９のきり孔２０ｃに挿入嵌合させ、それ以外は、ねじを緩める方向に後退させて引っ込めてねじ部の先端ときり孔２０ｃとの干渉を回避させる状態とする。
なお、連結ねじ２０ｄを連結板１９内に引っ込めて裏面側ケース半体１０ｂとの干渉を回避すれば、円弧状スリット２０ｃに替えて円孔とすることができる。
【００２８】
さらに、図１、図９、図１１に示すように、連結板１９と第２のロックカム１７は、連結手段２１により係合・係合解除される。連結手段２１は、裏面側ケース半体１０ｂに開けられた円弧状スリット２１ａと、連結板１９に開けられた雌ねじ２１ｂと、第２のロックカム１７に設けられた円弧状湾部２１ｃと、円弧状スリット２１ａを通し雌ねじ２１ｂに締め付けて施錠時に円弧状湾部２１ｃに進入係合する連結ねじ２１ｄとからなる。
この連結ねじ２１ｄは、この錠前装置を鍵と電気錠による二重操作による施錠・開錠を機能させるときに、連結板１９に対するねじ込みを大きくしてねじ部の先端を円弧状湾部２１ｃに係合させ、シリンダ錠のみによる施錠・開錠と、シリンダ錠と電気的指令の組み合わせによる施錠・開錠を機能させるときには、連結板１９に対するねじ込みを引っ込めて円弧状湾部２１ｃとの係合を解除する。
【００２９】
図５、図６に示すように、第１のロックカム１６は、スライダ１８の第１の窓部１８ａに対して遊びを有して常時係合し、第２のロックカム１７は、スライダ１８の第２の窓部１８ｂに対して係脱し係合時にスライダ１８をロックする。さらに、スライダ１８は、側部に突設されたロック部１８ｅを裏面側ケース半体１０ｂの側面の開口より突出して、自動販売機等の容器本体Ａのフレームに当接する操作棹Ｅの開口に嵌入している。従って、スライダ１８は、第１のロックカム１６により昇降されて、操作棹Eを昇降する。操作棹Ｅが上昇すると、図１に示す、ガブロック装置が開錠状態になるので、自動販売機が開扉可能になる。
【００３０】
本発明の錠前装置によれば、（１）鍵による施錠・開錠と、（２）電磁アクチュエータ２３による施錠・開錠と、（３）鍵と電磁アクチュエータ２３の組み合わせによる施錠・開錠、のいずれかを選択できる。
【００３１】
＜鍵による施錠・開錠＞
連結ねじ２０ｄによる第１のロックカム１６とシリンダカム１５との連結を解除してあること、及び、連結ねじ２１ｄによる連結板１９と第１のロックカム１６との連結を解除してあることで、鍵による施錠・開錠を行うことができる。
【００３２】
まず、図２の施錠状態にあるものとして図４の開錠状態とする場合について説明する。
シリンダ錠１３の鍵穴に鍵を挿入して開錠方向に回動操作すると、操作軸１３ｂが回動してシリンダカム１５が図２において時計回りに回動する。すると、係合ピン１５ａが湾状係合部１６ａを押圧し、これにより、第１のロックカム１６が図２において反時計回りに回動する。
【００３３】
これにより、押圧側アーム部１６ｃが受圧側レバーアーム部１７ａを押圧する（図３参照）。このため、第２のロックカム１７は、図２において時計回りに回動し、第２係合ロック部１７ｂが第２の窓部１８ｂとの係合を解く。その後、第１係合ロック部１６ｂが、スライダ１８の第１の窓部１８ａの上縁と当接し、第１のロックカム１６がスライダ１８を上昇位置へ上昇させる。
【００３４】
そして、操作軸１３ｂの開錠方向の回動力を解いても、湾状係合部１６ａの係合ピン１５に対する作用力には、係合ピン１５を湾状係合部１６ａの奥方向へ引き戻す分力を有していないので、第１のロックカム１６がスライダ１８を持ち上げた状態を維持する。すなわち、シリンダ錠１３から鍵を引き抜いても、操作軸１３ｂが戻り回動することがなく、開錠状態を維持する。
【００３５】
次に、図４の開錠状態にあるものとして図２の施錠状態とする場合について説明する。
シリンダ錠１３の鍵穴に鍵を挿入して施錠方向に回動操作すると、操作軸１３ｂが回動してシリンダカム１５が図４において反時計回りに回動する。すると、係合ピン１５ａが湾状係合部１６ａを押圧し、これにより、第１のロックカム１６が図４において時計回りに回動する。これに伴い、第１係合ロック部１６ｂに第１の窓部１８ａの上縁を当接載置されているスライダ１８が下降する。スライダ１８が下降すると、第２の窓部１８ｂが第２のロックカム１７の第２係合ロック部１７ｂに係合ロックされる位置まで下降すると共に、押圧側アーム部１６ｃが受圧側レバーアーム部１７ａに対する押圧を解いて離間する方向に変位するので、第２のロックカム１７が自重によるモーメント作用で回動復帰し、第２係合ロック部１７ｂがスライダ１８の第２の窓部１８ｂに係合してスライダ１８の上昇をロックする。従って、スライダ１８は、第１のロックカム１６と第２のロックカム１７とにより上昇を二重にロックされる。このため、この実施の形態の錠前装置Ｃを、自動販売機の扉Ｂの上下に設けられるロックＤを開錠・施錠する操作棒Ｅの移動をロックする錠前装置として適用すると、自動販売機の扉の正面板を突き破って操作棒Ｅを持ち上げ操作しようとしても、第２のロックカム１７によるロックが行われるから、操作棒Ｅを持ち上げ操作することができない。
【００３６】
＜電磁アクチュエータによる施錠・開錠＞
連結手段２０により連結板１９と第１のロックカム１６とを一体に連結するときは、電磁アクチュエータ２３に対して施錠信号及び開錠信号を送信して施錠・開錠を行うことができる。
【００３７】
まず、図１１の施錠状態にあるものとして図１３の開錠状態とする場合について説明する。
図１１の施錠状態において開錠信号を送信すると、電磁アクチュエータ２３が作動し、該電磁アクチュエータ２３により、連結板１９及び第１のロックカム１６が図１１において反時計回りに一体に回動する。すると、押圧側アーム部１６ｃが受圧側レバーアーム部１７ａを押圧するので（図１２参照）、第２のロックカム１７は、時計回りに回動し、第２係合ロック部１７ｂが第２の窓部１８ｂとの係合を解く（図１３参照）。
その後、第１係合ロック部１６ｂが、スライダ１８の第１の窓部１８ａの上縁と当接し、第１のロックカム１６がスライダ１８を上昇位置へ上昇開始させる。
【００３８】
次に、図１３の開錠状態にあるものとして図１１の施錠状態とする場合について説明する。
図１３の開錠状態において施錠信号を送信すると、電磁アクチュエータ２３が作動し、該電磁アクチュエータ２３により、連結板１９及び第１のロックカム１６が図１３において時計回りに一体に回動する。すると、第１係合ロック部１６ｂに第１の窓部１８ａの上縁を当接載置されているスライダ１８が下降する。
スライダ１８が下降すると、第２の窓部１８ｂが被ロックされる位置に復帰すると共に、押圧側アーム部１６ｃが受圧側レバーアーム部１７ａから離れるので、第２のロックカム１７が自重によるモーメント作用で回動復帰し、第２係合ロック部１７ｂがスライダ１８の第２の窓部１８ｂに係合してスライダ１８の上昇をロックする。従って、スライダ１８は、第１のロックカム１６と第２のロックカム１７とにより上昇を二重にロックされる（図１１参照）。
【００３９】
＜鍵と電磁アクチュエータの組み合わせによる施錠・開錠＞
連結手段２１により連結板１９と第２のロックカム１７とを一体に連結するときは、シリンダ錠による機械的な施錠・開錠と電磁アクチュエータ２３に対して施錠信号及び開錠信号を送信して施錠・開錠を行うことの組み合わせによりダブルロックができる。
まず、図１４の施錠状態にあるものとして図１６の開錠状態とする場合について説明する。
図１４の施錠状態において、開錠するには、先に電磁アクチュエータ２３に開錠信号を送信する。すると、電磁アクチュエータ２３により連結板１９が図１４において反時計回りに回動し、押圧側アーム部１６ｃが第２のロックカム１７から離間し、第２のロックカム１７がスライダ１８の第２の窓部１８ｂから離間する方向のロックを解除される。
そこで、シリンダ錠１３の鍵穴に鍵に挿入して図１４において時計回りに回動する。すると、操作軸１３ｂが回転し、シリンダカム１５が図１４において時計回りに回動する。これにより、係合ピン１５ａが湾状係合部１６ａを押圧し、第１のロックカム１６が図１４において反時計回りに回動し、押圧側アーム部１６ｃが受圧側レバーアーム部１７ａを押圧する（図１５参照）。
このため、第２のロックカム１７は、図１４において時計回りに回動し、第２係合ロック部１７ｂが第２の窓部１８ｂとの係合を解く。その後、第１係合ロック部１６ｂが、スライダ１８の第１の窓部１８ａの上縁と当接し、第１のロックカム１６がスライダ１８を上昇位置（スライダがロックを解除する位置）へ上昇開始させる（図１６参照）。従って、図１の操作棹Ｅを上昇させることができる。
【００４０】
次に、図１６の開錠状態にあるものとして図１４の施錠状態とする場合について説明する。
図１６の開錠状態において施錠するには、先にシリンダ錠１３の鍵穴に鍵を挿入して施錠を行い、次いで、電磁アクチュエータ２３に開錠信号を送信すると、ダブルロックを行うことができる。
【００４１】
まず、シリンダ錠１３の鍵穴に鍵に挿入して図１６において反時計回りに回動する。すると、操作軸１３ｂが回転し、シリンダカム１５が図１６において反時計回りに回動する。これにより、係合ピン１５ａが湾状係合部１６ａを押圧し、第１のロックカム１６が図１６において時計回りに回動し、第１係合ロック部１６ｂがスライダ１８の第１の窓部１８ａの上縁と当接し、また押圧側アーム部１６ｃが受圧側レバーアーム部から離間する方向に回動する（図１５参照）。
【００４２】
このため、第２のロックカム１７は、自重によるモーメント作用で図１６において反時計回りに回動し、第２係合ロック部１７ｂが第２の窓部１８ｂと係合する。もって、図１４に示すように、第１のロックカム１６と第２のロックカム１７がスライダ１８に対してダブルロック状態になる。
【００４３】
その後、電磁アクチュエータ２３に開錠信号を送信すると、電磁アクチュエータ２３が図１６において時計回りに回動する。これにより、連結板１９に螺合した連結ねじ２１ｄが第２のロックカム１７に設けられた円弧状湾部２１ｃに入り込み係合してダブルロック状態になる。この状態になると、鍵だけでは開錠することができない。
【００４４】
なお、本発明は、上記一実施形態に限られるものではなく、その趣旨と技術思想の範囲を逸脱しない範囲でさらに種々の変形が可能である。上記実施の形態では、自動販売機の扉の錠前装置に適用したが、他の扉にも適用できる。また、上記実施の形態では、スライドの側部を突出させて、この突起でロックする構成を示したがスライドの下端をシリンダケース１０の下端より突出させて、このスライドの下端でロックする構成をとしても良い。
【図面の簡単な説明】
【００４５】
【図１】本発明の実施の形態にかかる錠前装置を装備する自動販売機の全体斜視図。
【図２】本発明の実施の形態にかかる錠前装置を示し、鍵による施錠状態の縦断正面図。
【図３】図２の錠前装置の鍵による開錠途中又は施錠途中の縦断正面図。
【図４】図２の錠前装置の鍵による開錠状態の縦断正面図。
【図５】（ａ）は、図２の錠前装置の縦断側面図、（ｂ）は、図２の錠前装置の右側面図。
【図６】図２の錠前装置の水平断面図。
【図７】図２の錠前装置のシリンダ錠と固定具とシリンダカムを説明するための縦断正面図。
【図８】図２の錠前装置の連結板及び第１のロックカムを説明するための縦断正面図。
【図９】図２の錠前装置の第２のロックカムを説明するための縦断正面図。
【図１０】図２の錠前装置のスライダを説明するための縦断正面図。
【図１１】本発明の実施の形態にかかる電気錠とした錠前装置の施錠状態の縦断正面図。
【図１２】図１１の錠前装置の鍵による開錠途中又は施錠途中の縦断正面図。
【図１３】図１１の錠前装置の鍵による開錠状態の縦断正面図。
【図１４】鍵と電気による二重操作とした錠前装置の施錠状態の縦断正面図。
【図１５】図１４の錠前装置の鍵による開錠途中又は施錠途中の縦断正面図。
【図１６】図１５の錠前装置の鍵による開錠状態の縦断正面図。
【符号の説明】
【００４６】
Ａ  容器本体
Ｂ  扉
１０  シリンダケース
１１  前面部
１２  孔
１３  シリンダ錠
１３ｂ  操作軸
１４  固定具
１５  シリンダカム
１５ａ  係合ピン
１６  第１のロックカム
１６ａ  湾状係合部
１６ｂ  第１係合ロック部
１６ｃ  押圧側アーム部
１７  第２のロックカム
１７ａ  受圧側レバーアーム部
１７ｂ  第２係合ロック部
１８  スライダ
１８ａ  第１の窓部
１８ｂ  第２の窓部
１９  連結板
２０  連結手段
２１  連結手段
２３  電磁アクチュエータ
【図１】
2009215708.tif 000003
【図２】
2009215708.tif 000004
【図３】
2009215708.tif 000005
【図４】
2009215708.tif 000006
【図５】
2009215708.tif 000007
【図６】
2009215708.tif 000008
【図７】
2009215708.tif 000009
【図８】
2009215708.tif 000010
【図９】
2009215708.tif 000011
【図１０】
2009215708.tif 000012
【図１１】
2009215708.tif 000013
【図１２】
2009215708.tif 000014
【図１３】
2009215708.tif 000015
【図１４】
2009215708.tif 000016
【図１５】
2009215708.tif 000017
【図１６】
2009215708.tif 000018